(57)【要約】【課題】信頼性を向上することができる空気調和機を提供すること。【解決手段】本発明の空気調和機は、外気温度と室内温度とに基づいて初期の膨張弁開度が予め設定されており、圧縮機の起動時において外気温度と室内温度に応じて初期の膨張弁開度を決定する空気調和機であって、前回の圧縮機の起動時において、圧縮機の吐出乾き度が所定の乾き度以上となるように、初期の膨張弁開度の補正を行った際には、次回の圧縮機の起動時における膨張弁開度の初期の開度は、前回の初期の膨張弁開度の補正後の開度とする。【選択図】図２
2012220126.tif 000002
【特許請求の範囲】
【請求項１】
外気温度と室内温度とに基づいて初期の膨張弁開度が予め設定されており、圧縮機の起動時において外気温度と室内温度に応じて初期の膨張弁開度を決定する空気調和機であって、前回の圧縮機の起動時において、前記圧縮機の吐出乾き度が所定の乾き度以上となるように、初期の膨張弁開度の補正を行った際には、次回の圧縮機の起動時における膨張弁開度の初期の開度は、前回の初期の膨張弁開度の補正後の開度とすることを特徴とする空気調和機。
【請求項２】
前記圧縮機の起動時は段階的に周波数を変更し、各周波数に応じて外気温度と室内温度とに基づいて初期の膨張弁開度が予め設定されていることを特徴とする請求項１に記載の空気調和機。
【発明の詳細な説明】
【技術分野】
【０００１】
本発明は、空気調和機の起動制御に関するものである。
【背景技術】
【０００２】
従来から、室内機と室外機とが冷媒配管で接続されている空気調和機において、室内機と室外機とを接続する配管長に基づいて膨張弁の開度を補正制御するように行っている（例えば、特許文献１参照）。
【先行技術文献】
【特許文献】
【０００３】
【特許文献１】特開平６−１５９８１９号公報
【発明の概要】
【発明が解決しようとする課題】
【０００４】
しかしながら、前記従来の構成では、冷媒の状態などによって正確な配管長を検出しづらく、仮に配管長を検出できたとしても、圧縮機の起動時において室温や外気温度が変化してしまうと正確な補正が行えず、十分な信頼性を確保することができないという課題を有していた。
【０００５】
本発明は、前記従来の課題を解決するもので、信頼性を向上することができる空気調和機を提供することを目的とする。
【課題を解決するための手段】
【０００６】
前記従来の課題を解決するために、本発明の空気調和機は、外気温度と室内温度とに基づいて初期の膨張弁開度が予め設定されており、圧縮機の起動時において外気温度と室内温度に応じて初期の膨張弁開度を決定する空気調和機であって、前回の圧縮機の起動時において、圧縮機の吐出乾き度が所定の乾き度以上となるように、初期の膨張弁開度の補正を行った際には、次回の圧縮機の起動時における膨張弁開度の初期の開度は、前回の初期の膨張弁開度の補正後の開度とすることにより、居室空間の大きさや熱交換器の汚れに対してもある程度の許容値を起動制御にて補正することが可能である。
【発明の効果】
【０００７】
本発明は、信頼性を向上することができる空気調和機を提供することができる。
【図面の簡単な説明】
【０００８】
【図１】本発明の実施の形態１における空気調和機の構成図
【図２】同実施の形態１におけるフローチャート
【図３】同実施の形態１における電動膨張弁の開度のマトリクス図
【図４】同実施の形態１における電動膨張弁の開度のマトリクス図
【発明を実施するための形態】
【０００９】
第１の発明の空気調和機は、外気温度と室内温度とに基づいて初期の膨張弁開度が予め設定されており、圧縮機の起動時において外気温度と室内温度に応じて初期の膨張弁開度を決定する空気調和機であって、前回の圧縮機の起動時において、圧縮機の吐出乾き度が所定の乾き度以上となるように、初期の膨張弁開度の補正を行った際には、次回の圧縮機の起動時における膨張弁開度の初期の開度は、前回の初期の膨張弁開度の補正後の開度とすることにより、居室空間の大きさや熱交換器の汚れに対してもある程度の許容値を起動
制御にて補正することが可能である。
【００１０】
第２の発明の空気調和機は、特に第１の発明において、圧縮機の起動時は段階的に周波数を変更し、各周波数に応じて外気温度と室内温度とに基づいて初期の膨張弁開度が予め設定されていることにより、周波数に応じた最適値に補正ができる。
【００１１】
以下、本発明の実施の形態について、図面を参照しながら説明する。なお、この実施の形態によって本発明が限定されるものではない。
【００１２】
（実施の形態１）
図１は、本実施の形態１における空気調和機の構成図である。図１において、冷媒を圧縮する圧縮機９と、冷媒流路の順逆を切り換える四方弁１０と、冷媒と大気との熱交換を行う室外熱交換器１１と、冷媒を減圧する電動膨張弁１７と、室内空気と冷媒との熱交換を行う室内熱交換器３とを冷媒配管にて環状に接続して冷媒回路を形成している。
【００１３】
そして、暖房運転時には、圧縮機９から出た冷媒が四方弁１０を通って室内熱交換器３へ流れ、電動膨張弁１７にて減圧された後、室外熱交換器１１、四方弁１０を通って、圧縮機９に吸入される。
【００１４】
また、冷房運転時には、圧縮機９から出た冷媒が四方弁１０を通って室外熱交換器１１へ流れ、電動膨張弁１７にて減圧された後、室内熱交換器３、四方弁１０を通って、圧縮機９に吸入される。
【００１５】
また、室内機１の内部には、室内熱交換器３の近傍に配置された室内ファン４と、ファンを駆動するファンモータ５と、室温を検出する室内温度センサ６とを備えている。さらに各駆動機構に対して指示を出したり、各温度センサの値を取得する室内制御装置８を有している。
【００１６】
また、室外機２の内部には、室外の大気の温度を検出する外気温度センサ１３と、室外熱交換器の温度を検出する外熱交換温度センサ１２と、圧縮機９からの吐出冷媒の温度を検出する吐出温度センサ１４とを備えている。さらに各駆動機構に対して指示を出したり、各温度センサの値を取得する室外制御装置１６を有している。
【００１７】
以上のように構成された空気調和機に関して、以下、圧縮機の起動時の制御について説明する。
【００１８】
図２は圧縮機の起動時における圧縮機９の周波数と、電動膨張弁１７の開度と、圧縮機９の吐出冷媒の乾き度のチャートを示した図である。図２に示すように、圧縮機９の内部にあるオイルが一気に出ないように、周波数を段階的に上げる制御を行っている。
【００１９】
本実施の形態では、まず周波数Ｈｚ１で所定時間（例えば、５分）の間、圧縮機９を駆動し、その後、周波数Ｈｚ２にあげて所定時間（例えば、５分）の間、圧縮機９を駆動させている。
【００２０】
まず、周波数Ｈｚ１で固定して圧縮機９を駆動している間は、吐出冷媒の乾き度を検出しており、乾き度がＳＨ１を超えるように電動膨張弁１７の開度を制御する。このとき、圧縮機９の起動時の電動膨張弁１７の初期開度は、図３に示すように、室内温度と室外温度とのマトリクスで予め設定されている。
【００２１】
例えば、室内温度と室外温度とによってエリアＡ１に該当する場合には、電動膨張弁１
７の開度はａ１に設定される。そして、電動膨張弁１７の開度ａ１に所定の値αを加えることによって、電動膨張弁１７の開度を補正して、乾き度がＳＨ１となるようにしている。このとき所定の値α（正負含む）を加えるタイミングであるが、予め設定されている加算時間毎（例えば、２分毎）に所定の値αを加える。
【００２２】
本実施の形態では、初期開度ａ１に所定の値αを一度加えた段階で乾き度がＳＨ１を超えた場合には、次回の運転時のエリアＡ１の初期開度をａ１＋αとして設定しなおす。
【００２３】
これによって、次回の圧縮機の起動時には、いきなり初期開度にａ１＋αの値が設定されることになり、冷凍サイクルが安定するまでの時間を短縮することができる。
【００２４】
次に、周波数Ｈｚ１から周波数Ｈｚ２へあげて圧縮機９を駆動する際は、図４に示すように、室内温度と室外温度とのマトリクスで予め設定されている初期開度を設定する。このとき周波数Ｈｚ１のマトリクスとは別のマトリクスを用意している。これによって周波数に応じた電動膨張弁１７の開度を設定することができる。
【００２５】
例えば、室内温度と室外温度とによってエリアＡ１に該当する場合には、電動膨張弁１７の開度はｂ１に設定される。そして、電動膨張弁１７の開度ｂ１に所定の値βを加えることによって、電動膨張弁１７の開度を補正して、乾き度がＳＨ２となるようにしている。このとき所定の値β（正負含む）を加えるタイミングであるが、予め設定されている加算時間毎（例えば、２分毎）に所定の値βを加える。
【００２６】
その結果、乾き度がＳＨ２を超えたときの電動膨張弁１７の開度がｂ１＋βである場合には、予め設定されていた初期開度ｂ１に、補正後の開度ｂ１＋βを置き換えて設定しなおす。
【００２７】
本実施の形態ではエリアＡ１のみの説明としたが、エリアＡ２〜Ａ３、Ｂ１〜Ｂ３、Ｃ１〜Ｃ３においても同様に初期値の変更を行う。
【産業上の利用可能性】
【００２８】
以上のように本発明にかかる空気調和装置は室外機で制御を行うことができるので、家庭用マルチエアコン、ヒートポンプ式温水給湯、ビル用マルチエアコン等の用途にも適用できる。
【符号の説明】
【００２９】
１  室内機
２  室外機
３  室内熱交換器
９  圧縮機
１７  電動膨張弁
【図１】
2012220126.tif 000003
【図２】
2012220126.tif 000004
【図３】
2012220126.tif 000005
【図４】
2012220126.tif 000006